(57)【要約】【課題】チャネル状態情報基準信号の送信の存在時におけるレートマッチングモードの変更方法等を提供する。【解決手段】本発明の例示的な実施形態は、その１つの態様では、ネットワークアクセスノードがユーザ装置の能力を正しく取得したことが確認される前に、第１のレートマッチングモードに従ってネットワークアクセスノードを用いてユーザ装置を動作させるステップと、ネットワークアクセスノードがユーザ装置の能力を正しく取得したことがユーザ装置に対して確認された後にのみ、レートマッチングモードを第２のレートマッチングモードに変更するステップとを含む方法を提供する。【選択図】図６
2013529869.tif 000002
【特許請求の範囲】
【請求項１】
ネットワークアクセスノードがユーザ装置の能力を正しく取得したことが確認される前に、第１のレートマッチングモードに従って前記ネットワークアクセスノードを用いてユーザ装置を動作させるステップと、
前記ネットワークアクセスノードが前記ユーザ装置の能力を正しく取得したことが前記ユーザ装置に対して確認された後にのみ、前記レートマッチングモードを第２のレートマッチングモードに変更するステップと、
を含むことを特徴とする方法。
【請求項２】
前記第１のレートマッチングモードが、リソース要素の組を用いてダウンリンク共有チャネル送信をパンクチャするステップを含み、前記第２のレートマッチングモードが、前記リソース要素の組のメンバであるリソース要素の周辺で前記ダウンリンク共有チャネルをレートマッチングするステップを含む、
ことを特徴とする請求項１に記載の方法。
【請求項３】
前記リソース要素の組が、基準シンボル及びミューティングされたリソース要素の少なくとも一方を含む、
ことを特徴とする請求項２に記載の方法。
【請求項４】
前記基準シンボルが、前記ネットワークアクセスノード及び前記ユーザ装置の多入力多出力動作をサポートして送信されるチャネル状態情報基準シンボルである、
ことを特徴とする請求項３に記載の方法。
【請求項５】
前記確認が、シグナリングに明示的に基づくこと、シグナリングに非明示的に基づくこと、及びルールを適用することのうちの１つによって行われる、
ことを特徴とする請求項１に記載の方法。
【請求項６】
前記確認が、無線リソース制御能力転送手順の一部を含む確認メッセージ、又は前記レートマッチングモードを定義する無線リソース制御接続再構成メッセージの一部を含むパラメータの一方を使用する無線リソース制御シグナリングの１つに明示的に基づいて行われる、
ことを特徴とする請求項５に記載の方法。
【請求項７】
前記確認が、少なくとも１ビットを使用して前記レートマッチングモードを示すダウンリンク制御情報シグナリングに明示的に基づいて行われる、
ことを特徴とする請求項５に記載の方法。
【請求項８】
前記確認が、無線リソース制御接続再構成シグナリング手順の実行に非明示的に基づいて行われ、前記ルールが、前記ネットワークアクセスノードが前記ユーザ装置から無線リソース制御接続再構成完了メッセージを受け取った後にのみ、前記ユーザ装置に対する前記基準シンボル周辺のレートマッチングを開始することを含む、
ことを特徴とする請求項５に記載の方法。
【請求項９】
前記確認が、無線リソース制御接続再構成の使用に非明示的に基づいて行われ、前記レートマッチングモードが、無線リソース制御手順遅延ルールに準拠して変更され、残った構成の曖昧性を含み、或いは前記ユーザ装置のセル内ハンドオーバを使用する同期無線リソース制御再構成手順により変更されて、残った構成の曖昧性を大幅に排除する、
ことを特徴とする請求項５に記載の方法。
【請求項１０】
基準信号構成の指示を、システム情報ブロックに含めて、又は専用無線リソース制御シグナリングを使用することによって前記ユーザ装置に送信するステップをさらに含む、
ことを特徴とする請求項１から９のいずれか１項に記載の方法。
【請求項１１】
ミューティングされたリソース要素の構成を、システム情報ブロックに含めて、又は専用無線リソース制御シグナリングを使用することによって前記ユーザ装置に送信するステップをさらに含む、
ことを特徴とする請求項１から９のいずれか１項に記載の方法。
【請求項１２】
ソフトウェアプログラム命令を含む非一時的コンピュータ可読媒体であって、前記ソフトウェアプログラム命令が少なくとも１つのデータプロセッサにより実行されることにより、請求項１から１１のいずれか１項に記載の方法を実行することを含む動作が行われる、
ことを特徴とする非一時的コンピュータ可読媒体。
【請求項１３】
プロセッサと、
コンピュータプログラムコードを含むメモリと、
を備えた装置であって、前記メモリ及びコンピュータプログラムコードが、前記プロセッサを用いて前記装置に、
ネットワークアクセスノードがユーザ装置の能力を正しく取得したことが確認される前に、第１のレートマッチングモードに従って前記ネットワークアクセスノードを用いてユーザ装置を動作させるステップと、
前記ネットワークアクセスノードが前記ユーザ装置の能力を正しく取得したことが前記ユーザ装置に対して確認された後にのみ、前記レートマッチングモードを第２のレートマッチングモードに変更するステップと、
を少なくとも実行させるように構成される、
ことを特徴とする装置。
【請求項１４】
前記第１のレートマッチングモードが、リソース要素の組を用いてダウンリンク共有チャネル送信をパンクチャするステップを含み、前記第２のレートマッチングモードが、前記リソース要素の組のメンバであるリソース要素の周辺で前記ダウンリンク共有チャネルをレートマッチングするステップを含む、
ことを特徴とする請求項１３に記載の装置。
【請求項１５】
前記リソース要素の組が、基準シンボル及びミューティングされたリソース要素の少なくとも一方を含む、
ことを特徴とする請求項１４に記載の装置。
【請求項１６】
前記基準シンボルが、前記ネットワークアクセスノード及び前記ユーザ装置の多入力多出力動作をサポートして送信されるチャネル状態情報基準シンボルである、
ことを特徴とする請求項１５に記載の装置。
【請求項１７】
前記確認が、シグナリングに明示的に基づくこと、シグナリングに非明示的に基づくこと、及びルールを適用することのうちの１つによって行われる、
ことを特徴とする請求項１３に記載の装置。
【請求項１８】
前記確認が、無線リソース制御能力転送手順の一部を含む確認メッセージ、又は前記レートマッチングモードを定義する無線リソース制御接続再構成メッセージの一部を含むパラメータの一方を使用する無線リソース制御シグナリングの１つに明示的に基づいて行われる、
ことを特徴とする請求項１７に記載の装置。
【請求項１９】
前記確認が、少なくとも１ビットを使用して前記レートマッチングモードを示すダウンリンク制御情報シグナリングに明示的に基づいて行われる、
ことを特徴とする請求項１７に記載の装置。
【請求項２０】
前記確認が、無線リソース制御接続再構成シグナリング手順の実行に非明示的に基づいて行われ、前記ルールが、前記ネットワークアクセスノードが前記ユーザ装置から無線リソース制御接続再構成完了メッセージを受け取った後にのみ、前記ユーザ装置に対する前記基準シンボル周辺のレートマッチングを開始することを含む、
ことを特徴とする請求項１７に記載の装置。
【請求項２１】
前記確認が、無線リソース制御接続再構成の実行に非明示的に基づいて行われ、前記レートマッチングモードが、無線リソース制御手順遅延ルールに準拠して変更され、残った構成の曖昧性を含み、或いは前記ユーザ装置のセル内ハンドオーバを使用する同期無線リソース制御再構成手順により変更されて、残った構成の曖昧性を大幅に排除する、
ことを特徴とする請求項１７に記載の装置。
【請求項２２】
基準信号構成の指示を、システム情報ブロックに含めて、又は専用無線リソース制御シグナリングを使用することによって前記ユーザ装置に送信するステップをさらに含む、
ことを特徴とする前記請求項のいずれか１項に記載の装置。
【請求項２３】
ミューティングされたリソース要素の構成を、システム情報ブロックに含めて、又は専用無線リソース制御シグナリングを使用することによって前記ユーザ装置に送信するステップをさらに含む、
ことを特徴とする請求項１３から２２のいずれか１項に記載の装置。
【請求項２４】
ロングタームエボリューションアドバンストプロトコル及び仕様とともに動作するよう構成される、
ことを特徴とする請求項１３から２３のいずれか１項に記載の装置。
【発明の詳細な説明】
【技術分野】
【０００１】
本発明の例示的かつ非限定的な実施形態は、一般に無線通信システム、方法、装置及びコンピュータプログラムに関し、より詳細には、Ｒｅｌ−１０（ＬＴＥ−Ａｄｖａｎｃｅｄ）のユーザ装置などのユーザ装置へのダウンリンク基準信号及びデータの送信に関する。
【背景技術】
【０００２】
本節には、特許請求の範囲に記載する本発明に至るまでの背景又は状況を示す。本明細書における説明は、追求できる概念を含むことができるが、この概念が必ずしも以前に考案、実施又は追求されたものであるとは限らない。従って、本節で説明する内容は、本明細書において特に示さない限り、本出願における説明及び特許請求の範囲にとっての先行技術ではなく、本節に含まれることにより先行技術であると認められるものではない。
【０００３】
本明細書及び／又は図面の図で見出すことができる以下の略語については以下のように定義する。
３ＧＰＰ  第３世代パートナーシッププロジェクト
ＢＳ  基地局
ＢＷ  帯域幅
ＣＲＳ  共通基準信号
ＣＳＩ  チャネル状態情報
ＣＱＩ  チャネル品質インジケータ
ＤＣＩ  ダウンリンク制御情報
ＤＬ  ダウンリンク（ｅＮＢからＵＥ方向）
ＤＭ−ＲＳ  復調基準信号（別称ＵＲＳ）
ｅＮＢ  Ｅ−ＵＴＲＡＮ  Ｎｏｄｅ  Ｂ（進化型Ｎｏｄｅ  Ｂ）
ＥＰＣ  進化型パケットコア
Ｅ−ＵＴＲＡＮ  進化型ＵＴＲＡＮ（ＬＴＥ）
ＦＤＭＡ  周波数分割多元接続
ＨＳＰＡ  高速パケットアクセス
ＩＭＴＡ  国際移動体電気通信連合
ＩＴＵ−Ｒ  国際電気通信連合−無線通信部門
ＬＴＥ  ＵＴＲＡＮのロングタームエボリューション（Ｅ−ＵＴＲＡＮ）
ＬＴＥ−Ａ  ＬＴＥアドバンスト
ＭＡＣ  媒体アクセス制御（レイヤ２、Ｌ２）
ＭＣＳ  変調符号化方式
ＭＩＢ  マスタ情報ブロック
ＭＩＭＯ  多入力多出力
ＭＭ／ＭＭＥ  モビリティ管理／モビリティ管理エンティティ
ＮｏｄｅＢ  基地局
ＯＦＤＭＡ  直交周波数分割多元接続
Ｏ＆Ｍ  運用及び保守
ＰＤＣＣＨ  物理ダウンリンク制御チャネル
ＰＤＣＰ  パケットデータ収束プロトコル
ＰＤＳＣＨ  物理ダウンリンク共有チャネル
ＰＨＹ  物理（レイヤ１、Ｌ１）
ＰＭＩ  プリコーディングマトリクスインジケータ
ＰＲＢ  物理リソースブロック
ＲＡＣＨ  ランダムアクセスチャネル
ＲＥ  リソース要素
Ｒｅｌ  リリース
ＲＩ  ランクインジケータ
ＲＬＣ  無線リンク制御
ＲＲＣ  無線リソース制御（レイヤ３、Ｌ３）
ＲＲＭ  無線リソース管理
ＲＳ  基準信号
ＳＧＷ  サービングゲートウェイ
ＳＩＢ  システム情報ブロック
ＴＭ  伝送モード
ＳＣ−ＦＤＭＡ  シングルキャリア周波数分割多元接続
ＵＥ  移動局、移動ノード又は移動端末などのユーザ装置
ＵＬ  アップリンク（ＵＥからｅＮＢ方向）
ＵＭＴＳ  ユニバーサル移動体電気通信システム
ＵＰＥ  ユーザプレーンエンティティ
ＵＲＳ  ＵＥ固有の基準信号
ＵＴＲＡＮ  ユニバーサル地上波無線アクセスネットワーク
【０００４】
１つの最新の通信システムは、進化型ＵＴＲＡＮ（Ｅ−ＵＴＲＡＮ、ＵＴＲＡＮ−ＬＴＥ又はＥ−ＵＴＲＡとも呼ばれる）として知られている。このシステムでは、ＤＬアクセス技術はＯＦＤＭＡであり、ＵＬアクセス技術はＳＣ−ＦＤＭＡである。
【０００５】
１つの興味深い仕様書に、３ＧＰＰ  ＴＳ  ３６．３００、Ｖ８．１１．０（２００９年１２月）、第３世代パートナーシッププロジェクト、技術仕様書グループ無線アクセスネットワーク、進化型ユニバーサル地上波無線アクセス（Ｅ−ＵＴＲＡ）及び進化型ユニバーサル地上波アクセスネットワーク（ＥＵＴＲＡＮ）、全容、ステージ２（リリース８）があり、この使用書はその全体が引用により本明細書に組み入れられる。便宜上、このシステムをＬＴＥ  Ｒｅｌ−８と呼ぶことができる。一般に、大まかに３ＧＰＰ  ＴＳ  ３６．ｘｙｚ（３６．２１１、３６．３１１、３６．３１２など）として与えられる一連の仕様書は、リリース８のＬＴＥシステムを説明しているものと見なすことができる。つい最近、３ＧＰＰ  ＴＳ  ３６．３００，Ｖ９．１．０（２０１０年３月）を含むこれらの仕様書の少なくとも一部のリリース９バージョンが公開された。
【０００６】
図１Ａは、３ＧＰＰ  ＴＳ  ３６．３００  Ｖ８．１１．０の図４．１を再現したものであり、ＥＵＴＲＡＮシステム（Ｒｅｌ−８）の全体的アーキテクチャを示している。図１Ｂを参照することもできる。Ｅ−ＵＴＲＡＮシステムは、ＵＥ方向のＥ−ＵＴＲＡＮユーザプレーン（ＰＤＣＰ／ＲＬＣ／ＭＡＣ／ＰＨＹ）及び制御プレーン（ＲＲＣ）のプロトコル終端を提供するｅＮＢを含む。ｅＮＢは、Ｘ２インターフェイスにより相互接続される。ｅＮＢは、Ｓ１インターフェイスによってＥＰＣにも接続され、より具体的には、Ｓ１  ＭＭＥインターフェイスによってＭＭＥに、Ｓ１インターフェイスによってＳ−ＧＷに接続される（ＭＭＥ／Ｓ−ＧＷ４）。Ｓ１インターフェイスは、ＭＭＥ／Ｓ−ＧＷ／ＵＰＥとｅＮＢの間の多対多の関係をサポートする。
【０００７】
ｅＮＢは、以下の機能をホストする。
ＲＲＭのための機能：ＲＲＣ、無線アドミッション制御、接続モビリティ制御、ＵＬ及びＤＬの両方におけるＵＥへの動的リソース割り当て（スケジューリング）
ユーザデータストリームのＩＰヘッダの圧縮及び暗号化
ＵＥ接続時におけるＭＭＥの選択
ＥＰＣ（ＭＭＥ／Ｓ−ＧＷ）へ向けたユーザプレーンデータのルーティング
（ＭＭＥを発信元とする）ページングメッセージのスケジューリング及び送信
（ＭＭＥ又はＯＡＭを発信元とする）ブロードキャスト情報のスケジューリング及び送信
モビリティ及びスケジューリングのための測定及び測定レポート構成
【０００８】
本明細書では、便宜上単純にＬＴＥ−Ａｄｖａｎｃｅｄ（ＬＴＥ−Ａ）と呼ぶ将来的なＩＭＴＡシステムを対象にした３ＧＰＰ  ＬＴＥのさらなるリリース（ＬＴＥ  Ｒｅｌ−１０など）が特に興味深い。これについては、３ＧＰＰ  ＴＲ  ３６．９１３、Ｖ９．１．０（２００９年１２月）、第３世代パートナーシッププロジェクト、技術仕様書グループ無線アクセスネットワーク、ＥＵＴＲＡのさらなる高度化（ＬＴＥ−Ａｄｖａｎｃｅｄ）（リリース９）を参照することができる。３ＧＰＰ  ＴＲ  ３６．９１２、Ｖ９．３．０（２０１０年６月）、技術レポート第３世代パートナーシッププロジェクト、技術仕様書グループ無線アクセスネットワーク、Ｅ−ＵＴＲＡのさらなる高度化（ＬＴＥ−Ａｄｖａｎｃｅｄ）（リリース９）の実現可能性研究を参照することもできる。
【０００９】
ＬＴＥ−Ａの目的は、コストを下げるとともにより高いデータレート及びより短いレイテンシによって大幅に強化されたサービスを提供することである。ＬＴＥ−Ａは、３ＧＰＰ  ＬＴＥ  Ｒｅｌ−８無線アクセス技術を拡張及び最適化して、より低いコストでより高いデータレートを提供することに向けて進められている。ＬＴＥ−Ａは、ＬＴＥ  Ｒｅｌ−８との後方互換性を維持しながらＩＭＴ−ＡｄｖａｎｃｅｄのＩＴＵ−Ｒ要件を満たす、より最適化された無線システムになると思われる。
【００１０】
３ＧＰＰ  ＴＲ  ３６．９１３に規定されるように、ＬＴＥ−Ａは、ＬＴＥ  Ｒｅｌ−８のものよりも広いスペクトル割り当て（最大１００ＭＨｚなど）を含む様々なサイズのスペクトル割り当てで動作して、高モビリティでは１００Ｍｂｉｔ／ｓの、低モビリティでは１Ｇｂｉｔ／ｓのピークデータレートを達成するはずである。ＬＴＥ−Ａでは、２０ＭＨｚを超える帯域幅をサポートするためにキャリアアグリゲーションを検討すべきことが合意された。ＬＴＥ−Ａでは、２０ＭＨｚを超える伝送帯域幅をサポートするために、２又はそれ以上のコンポーネントキャリア（ＣＣ）を束ねるキャリアアグリゲーション（ＣＡ）が検討されている。キャリアアグリゲーションは、隣接したものであっても又は隣接していないものであってもよい。この帯域幅拡張としての技術は、ＬＴＥ  Ｒｅｌ−８で行われるような非アグリゲート動作と比較した時に、ピークデータレート及びセルスループットの観点からかなりの利得をもたらすことができる。
【００１１】
端末は、その能力に応じて、１又は複数のコンポーネントキャリアを同時に受け取ることができる。２０ＭＨｚを超える受信能力を備えたＬＴＥ−Ａ端末は、複数のコンポーネントキャリア上で送信を同時に受け取ることができる。ＬＴＥ  Ｒｅｌ−８端末は、コンポーネントキャリアの構造がＲｅｌ−８の仕様に準拠する場合、単一のコンポーネントキャリア上でしか送信を受け取ることができない。さらに、ＬＴＥ−ＡシステムではＲｅｌ−８  ＬＴＥ端末を動作可能とすべきであり、Ｒｅｌ−８  ＬＴＥシステムではＬＴＥ−Ａ端末を動作可能とすべきであるという意味で、ＬＴＥ−Ａは、Ｒｅｌ−８  ＬＴＥと後方互換性があることが求められる。
【００１２】
ＬＴＥ−Ａ  ＤＬ  ＭＩＭＯの強化においては、２種類のダウンリンク基準信号を導入することが決まっている。第１のＤＬ基準信号は、ＤＭ−ＲＳと呼ばれる。ＤＭ−ＲＳは、最大８空間レイヤのデータ検出／復調に使用されるプリコーディングされたＵＥ固有の基準信号である。第２のＤＬ基準信号は、ＣＳＩ−ＲＳと呼ばれる。ＣＳＩ−ＲＳは、ＣＱＩ／ＰＭＩ／ＲＩの決定及びチャネルサウンディングに使用されるセル固有の基準信号である。ＣＳＩ−ＲＳは、例えばリリース８で使用するように指定されたＣＲＳに比べ、時間／周波数密度が低い。
【００１３】
３ＧＰＰ  ＴＳＧ−ＲＡＮ作業グループ１、会議＃５７の２、Ｒ１−０９２４７４、米国、ロサンジェルス、２００９年５月８日〜６月２９日、議題項目：１５．１、ソース：ＺＴＥ、表題：「ＣＳＩ  ＲＳのＲｅｌ８ＰＤＳＣＨに対する影響の性能評価（Ｐｅｒｆｏｒｍａｎｃｅ  Ｅｖａｌｕａｔｉｏｎ  ｆｏｒ  ｔｈｅ  Ｉｍｐａｃｔ  ｏｆ  ＣＳＩ  ＲＳ  ｏｎ  Ｒｅｌ８  ＰＤＳＣＨ）」を参照することができる。この文献には、ＬＴＥリリース８ＰＤＳＣＨに対するＣＳＩ−ＲＳ挿入の影響が記載されている。レガシーＵＥは、対応するＲＥをデータ通りに処理し、これをＰＤＳＣＨチャネルの復号に含めるので、ＬＴＥ−ＡのＣＳＩ−ＲＳ送信にリリース８のＰＤＳＣＨ  ＲＥを代用すると、リリース８のＰＤＳＣＨの性能に害を及ぼす可能性があると言われている。この状況は、一般に消失を伴う復号よりも悪いと言われている。シミュレーション結果に基づいて、ＣＳＩ−ＲＳの送信間隔が５ｍｓ未満の場合には、変調指数又は符号化速度が高い場合にリリース８ＰＤＳＣＨに対するパフォーマンスインパクトが明らかであると結論付けられた。ＣＳＩ−ＲＳは、２ｍｓ又は５ｍｓの間隔にわたって良好な性能を維持するには、６ＲＥ未満などの低い周波数密度を有するべきである。他の改善策には、ＲＢにＣＳＩ−ＲＳを挿入した時にリリース８のＰＤＳＣＨパケットに対して行うＭＣＳ調整がある。また、ＣＳＩ−ＲＳが均一に分散していると、リリース８のＰＤＳＣＨの性能損失が連続的な分散よりも小さくなる。
【００１４】
３ＧＰＰ  ＲＡＮ１では、ＣＳＩ−ＲＳの密度を、サブフレーム当たりのＰＲＢ当たりのアンテナポート当たり１ＲＥとすることが同意されている。図１Ｃに、ＣＳＩ−ＲＳサブフレームパターンの２つの例を示している。ＣＳＩ−ＲＳは、各ＤＬサブフレームに必ずしも存在するわけでなく、２ｍｓ、５ｍｓ又は１０ｍｓのデューティサイクルで構成することができる。これについては、例えば、３ＧＰＰ  ＴＳＧ−ＲＡＮ  ＷＧ１会議＃６１、Ｒ１−１０２９５６、カナダ、モントリオール、２０１０年５月１０日〜１４日、議題項目：６．３．２．１、ソース：ノキア、ノキアシーメンスネットワーク、表題：「セル内ＣＳＩ−ＲＳ設計（Ｉｎｔｒａ−ｃｅｌｌ  ＣＳＩ−ＲＳ  ｄｅｓｉｇｎ）」を参照することができる。
【００１５】
ＲＡＮ１＃６０の２の期間中に、リリース１０のＵＥのＣＳＩ−ＲＳロケーションにレートマッチングを適用すべきであること、及びサービングセルのＰＤＳＣＨのＲＥマッピングによってサービングセルのＣＳＩ−ＲＳを避けることが同意された。これについては、３ＧＰＰ  ＴＳＧ  ＲＡＮ  ＷＧ１会議＃６１、Ｒ１−１０２６０１、カナダ、モントリオール、２０１０年５月１０日〜１４日、議題項目３、表題：３ＧＰＰ  ＴＳＧ  ＲＡＮ  ＷＧ１＃６０ｂｉｓ  ｖ１．０．０（中国、北京、２０１０年４月１２日〜１６日）の最終報告、ソース：ＭＣＣサポートを参照することができる。
【先行技術文献】
【非特許文献】
【００１６】
【非特許文献１】３ＧＰＰ  ＴＳ  ３６．３００、Ｖ８．１１．０（２００９年１２月）、第３世代パートナーシッププロジェクト、技術仕様書グループ無線アクセスネットワーク、進化型ユニバーサル地上波無線アクセス（Ｅ−ＵＴＲＡ）及び進化型ユニバーサル地上波アクセスネットワーク（ＥＵＴＲＡＮ）、全容、ステージ２（リリース８）
【非特許文献２】３ＧＰＰ  ＴＳ  ３６．３００  Ｖ８．１１．０
【非特許文献３】３ＧＰＰ  ＴＲ  ３６．９１３、Ｖ９．１．０（２００９年１２月）、第３世代パートナーシッププロジェクト、技術仕様書グループ無線アクセスネットワーク、ＥＵＴＲＡのさらなる高度化（ＬＴＥ−Ａｄｖａｎｃｅｄ）（リリース９）
【非特許文献４】３ＧＰＰ  ＴＲ  ３６．９１２、Ｖ９．３．０（２０１０年６月）、技術レポート第３世代パートナーシッププロジェクト、技術仕様書グループ無線アクセスネットワーク、Ｅ−ＵＴＲＡのさらなる高度化（ＬＴＥ−Ａｄｖａｎｃｅｄ）（リリース９）の実現可能性研究
【非特許文献５】３ＧＰＰ  ＴＳＧ−ＲＡＮ作業グループ１、会議＃５７の２、Ｒ１−０９２４７４、米国、ロサンジェルス、２００９年５月８日〜６月２９日、議題項目：１５．１、ソース：ＺＴＥ、表題：「ＣＳＩ  ＲＳのＲｅｌ８ＰＤＳＣＨに対する影響の性能評価（Ｐｅｒｆｏｒｍａｎｃｅ  Ｅｖａｌｕａｔｉｏｎ  ｆｏｒ  ｔｈｅ  Ｉｍｐａｃｔ  ｏｆ  ＣＳＩ  ＲＳ  ｏｎ  Ｒｅｌ８  ＰＤＳＣＨ）」
【非特許文献６】３ＧＰＰ  ＴＳＧ−ＲＡＮ  ＷＧ１会議＃６１、Ｒ１−１０２９５６、カナダ、モントリオール、２０１０年５月１０日〜１４日、議題項目：６．３．２．１、ソース：ノキア、ノキアシーメンスネットワーク、表題：「セル内ＣＳＩ−ＲＳ設計（Ｉｎｔｒａ−ｃｅｌｌ  ＣＳＩ−ＲＳ  ｄｅｓｉｇｎ）」
【非特許文献７】３ＧＰＰ  ＴＳＧ  ＲＡＮ  ＷＧ１会議＃６１、Ｒ１−１０２６０１、カナダ、モントリオール、２０１０年５月１０日〜１４日、議題項目３、表題：３ＧＰＰ  ＴＳＧ  ＲＡＮ  ＷＧ１＃６０ｂｉｓ  ｖ１．０．０（中国、北京、２０１０年４月１２日〜１６日）の最終報告、ソース：ＭＣＣサポート
【非特許文献８】３ＧＰＰ  ＴＳ  ３６．３３１の１１．２節、「ＲＲＣ手順の処理遅延要件（Ｐｒｏｃｅｓｓｉｎｇ  ｄｅｌａｙ  ｒｅｑｕｉｒｅｍｅｎｔｓ  ｆｏｒ  ＲＲＣ  ｐｒｏｃｅｄｕｒｅｓ）」
【非特許文献９】３ＧＰＰ  ＴＳ３６．３３１の５．３．５．４節、「ＵＥによるｍｏｂｉｌｉｔｙＣｏｎｔｒｏｌＩｎｆｏを含むＲＲＣＣｏｎｎｅｃｔｉｏｎＲｅｃｏｎｆｉｇｕｒａｔｉｏｎの受信（ハンドオーバ）（Ｒｅｃｅｐｔｉｏｎ  ｏｆ  ａｎ  ＲＲＣＣｏｎｎｅｃｔｉｏｎＲｅｃｏｎｆｉｇｕｒａｔｉｏｎ  ｉｎｃｌｕｄｉｎｇ  ｔｈｅ  ｍｏｂｉｌｉｔｙＣｏｎｔｒｏｌＩｎｆｏ  ｂｙ  ｔｈｅ  ＵＥ  （ｈａｎｄｏｖｅｒ））」
【非特許文献１０】２０１０年４月１２日〜１６日、中国、北京の３ＧＰＰ  ＴＳＧ  ＲＡＮ  ＷＧ１会議＃６０の２、Ｒ１−１０２２９１、ソース：ＮＴＴ  ＤＯＣＯＭＯ、表題：ＣＩＦ構成中のＵＥ割り当て方法（ＵＥ  Ａｓｓｉｇｎｍｅｎｔ  Ｍｅｔｈｏｄｓ  Ｄｕｒｉｎｇ  ＣＩＦ  Ｃｏｎｆｉｇｕｒａｔｉｏｎ）
【発明の概要】
【発明が解決しようとする課題】
【００１７】
本発明の例示的な実施形態を使用することにより、上記の及びその他の問題が克服され、その他の利点が実現される。
【課題を解決するための手段】
【００１８】
本発明の例示的な実施形態は、その第１の態様では、ネットワークアクセスノードがユーザ装置の能力を正しく取得したことが確認される前に、第１のレートマッチングモードに従ってネットワークアクセスノードを用いてユーザ装置を動作させるステップと、ネットワークアクセスノードがユーザ装置の能力を正しく取得したことがユーザ装置に対して確認された後にのみ、レートマッチングモードを第２のレートマッチングモードに変更するステップとを含む方法を提供する。
【００１９】
本発明の例示的な実施形態は、その別の態様では、プロセッサとコンピュータプログラムコードを含むメモリとを備えた装置を提供する。このメモリ及びコンピュータプログラムコードは、プロセッサを用いて装置に、ネットワークアクセスノードがユーザ装置の能力を正しく取得したことが確認される前に、第１のレートマッチングモードに従ってネットワークアクセスノードを用いてユーザ装置を動作させるステップと、ネットワークアクセスノードがユーザ装置の能力を正しく取得したことがユーザ装置に対して確認された後にのみ、レートマッチングモードを第２のレートマッチングモードに変更するステップとを少なくとも実行させるように構成される。
【図面の簡単な説明】
【００２０】
【図１Ａ】３ＧＰＰ  ＴＳ  ３６．３００の図４．１を再現した、ＥＵＴＲＡＮシステムのアーキテクチャ全体を示す図である。
【図１Ｂ】ＥＵＴＲＡＮシステムの別の表現を示す図である。
【図１Ｃ】８ＴＸの通常のＣＰのセル内ＣＳＩ−ＲＳパターンの例を示す図である。
【図２】本発明の例示的な実施形態の実施における使用に適した様々な電子デバイスの簡略ブロック図である。
【図３】ＵＥ能力の転送手順を示す、３ＧＰＰ  ＴＳ３６．３３１の図５．６．３．１−１を再現した図である。
【図４】１つの例示的かつ非限定的なＣＳＩ−ＲＳパターンのレートマッチング及びパンクチャリングの例を示す図である。
【図５】ＲＲＣ接続再構成手順（成功）を示す、３ＧＰＰ  ＴＳ３６．３３１の図５．３．５．１−１を再現した図である。
【図６】本発明の例示的な実施形態による、方法の動作、及びコンピュータ可読メモリ上に具体化されるコンピュータプログラム命令の実行結果を示す論理フロー図である。
【発明を実施するための形態】
【００２１】
上述した背景技術での説明に関連して、ＣＳＩ−ＲＳの存在を認識しないリリース８／９のＵＥ（端末）では、ＰＤＳＣＨ  ＲＥマッピングによってサービングセルのＣＳＩ−ＲＳロケーションを避けることができない。従って、ＣＳＩ−ＲＳを含むサブフレーム内にリリース８／９端末へのＰＤＳＣＨ送信が存在する場合、ＵＥデコーダが経験する付加的なＰＤＳＣＨ干渉のソースをリリース８／９端末が認識することなく、ＣＳＩ−ＲＳ  ＲＥは、リリース８／９のＰＤＳＣＨ  ＲＥをパンクチャする（無効にする）。
【００２２】
ｅＮＢは、このような干渉を緩和するために措置を講じることができる。例えば、ｅＮＢは、ＣＳＩ−ＲＳに起因する干渉を克服するために、ＣＳＩ−ＲＳを含むサブフレーム内におけるリリース８／９ＵＥのスケジューリングを避けることができ、或いは影響を受けたＵＥのＭＣＳレベルを調整する（下げる）ことができる。すなわち、ｅＮＢは、ＣＳＩ−ＲＳが存在することに起因してＵＥが経験する付加的な干渉をある程度まで緩和するために、リリース８／９ＵＥをよりロバストなＭＣＳで動作させることができる。
【００２３】
さらに、本発明の例示的な実施形態に関連して、ＬＴＥ仕様のリリース８／９バージョンでは、どの時点でネットワークがその無線能力を正しく取得したか、及びＵＥのリリース情報（リリース８又はリリース９など）が分かるかをＵＥに知らせる明確なシグナリング機構が存在しない。
【００２４】
図３に、３ＧＰＰ  ＴＳ  ３６．３３１  Ｖ９．３．０（２０１０年６月）５．６．３節、技術仕様書第３世代パートナーシッププロジェクト、技術仕様書グループ無線アクセスネットワーク、進化型ユニバーサル地上波無線アクセス（Ｅ−ＵＴＲＡ）、無線リソース制御（ＲＲＣ）、プロトコル仕様書（リリース９）に記載されているＵＥ能力転送手順を示す。図５には、３ＧＰＰ  ＴＳ  ３６．３３１Ｖ９．３．０の５．３．５節に記載されているＵＥ  ＲＲＣ接続再構成手順を示す。
【００２５】
図３に示すように、ＵＥ能力転送には、上位層の肯定応答が成されない（またＬ１エラーに起因して、不具合が起きたことをＵＥが知らないまま失敗することがある）。このようなエラーイベントが起きた場合、ＣＳＩ−ＲＳ送信が可能なセルに入ったリリース１０のＵＥは、リリース８／９のＵＥのようにＣＳＩ−ＲＳからの干渉を経験する可能性がある。また、このＵＥは、ＣＳＩ−ＲＳの周囲でレートデマッチングを実行できる一方で、能力転送シグナリングの障害によってＵＥのリリース１０の能力に気付かないｅＮＢは、このＵＥがあたかもリリース８／９対応であるかのようにＰＤＳＣＨにレートマッチングを継続する。これにより、送信が失敗に終わる可能性がある。
【００２６】
例えば、ｅＮＢは、ＵＥの能力を要求し、ＵＥ能力転送手順が成功した後でＲＲＣ接続再構成手順（図５）を使用して、ＵＥをリリース９固有の（又はリリース１０固有の）伝送モード（ＴＭ）８（又はＴＭｘ、この場合ｘ≧８であり、これはリリース１０仕様の一部であると予想される）に構成することができる。この一連のイベントは、ネットワークがそのＵＥの無線能力を正しく取得し、ネットワークがＵＥのリリースを認識していることをＵＥに非明示的に示すものとなる。一方、ＵＥの能力転送に失敗した場合（図３）、この失敗した能力転送の後に、ＵＥをＴＭ０又は１などに構成するためのＲＲＣ接続再構成手順（図５）を続けることが可能である。これらの例示的なＴＭはリリースに依存せず、実際の無線能力／ＵＥのリリースをネットワークが認識せずに（何らかの制限付きで）動作することができる。このような一連のイベントが起きた後には、ＵＥは、ネットワークがＵＥの無線能力を実際に及び正しく取得したと確信することはできない。すなわち、ＵＥをＴＭ０又は１などに構成するＲＲＣ接続再構成手順をＵＥが受け取ることで、ネットワークがＵＥ構成パラメータを前もって実際に取得していたことをＵＥに対して保証するものではない。
【００２７】
上述の説明の背景によれば、ＰＤＳＣＨで送信される情報ビットはターボ符号化され、その後循環バッファにレートマッチングされる。すなわち、利用可能なＲＥ（シンボル）の数に応じて、循環バッファ（ＣＢ）から正しい数の符号化ビットが送信のために取り出される（コードレートが１／３の場合にはＣＢ全体、コードレートが１／３を上回る場合にはＣＢビットの一部が伝送され、コードレート＜１／３の場合には、ＣＢビットが循環バッファを一周することによって繰り返される）。従って、「ＣＳＩ  ＲＳ周辺のレートマッチング」は、一般にＵＥ及びｅＮＢがいずれも特定のＲＥ（符号）をＰＤＳＣＨに利用できないと認識していることを意味し、このことがレートマッチング処理において考慮される。ＣＳＩ−ＲＳによってＰＤＳＣＨをパンクチャすることは、レートマッチング処理において、ＣＳＩ−ＲＳ  ＲＥ（シンボル）がＰＤＳＣＨに対して利用可能であると仮定されるが、次のステップでは、ＣＳＩ−ＲＳシンボルがＣＳＩ−ＲＳ  ＲＥ内のＰＤＳＣＨシンボルを無効にすることを意味する。パンクチャリング及びレートマッチングのいずれの場合においても、同じ数のＰＤＳＣＨ  ＲＥが送信されるが、レートマッチングは、特に高コードレートの場合に良好に機能する。
【００２８】
これについては（以下でさらに詳細に説明する）図４を参照することができるが、この図には単純化及び一般化のために循環バッファは図示していない。すなわち、図４は、１つの例示的なＣＳＩ−ＲＳパターンのためのレートマッチング及びパンクチャリングの例であり、左側では、ＤＭ−ＲＳベースのＰＤＳＣＨ送信を前提としており、右側では、ＣＲＳベースのＰＤＳＣＨ送信を前提としている。
【００２９】
上述したＣＳＩ−ＲＳ周辺のレートマッチングに関する合意は、性能の観点から理にかなっている。しかしながら、上述のシナリオを考慮すると、少なくとも以下の問題点が生じる。
【００３０】
ｅＮＢは、所与のＰＤＳＣＨ送信がリリース１０のＵＥを対象にしていると知った場合、ＣＳＩ−ＲＳ周辺のＰＤＳＣＨレートマッチングを使用すべきである。しかしながら、上記で明らかになったように、ｅＮＢが対象のＵＥの無線能力を正しく取得した（従ってＵＥのリリースを認識した）ことをＵＥがどの時点で知るかは明確に定義されていない。ｅＮＢは、ＣＳＩ−ＲＳの再構成を実行する（例えば、エネルギー節約を動機としてアンテナポートの数をオンザフライで変更する）ことができる。しかしながら、ＣＳＩ−ＲＳポートの数をオンザフライで増やすと、ＰＤＳＣＨがパンクチャされ、ＵＥにおける干渉が増し、従って性能損失が生じる恐れがある。
【００３１】
或いは、変更前にＰＤＳＣＨがＣＳＩ−ＲＳ  ＲＥの組の周辺でレートマッチしていると仮定した場合、ＣＳＩ−ＲＳポートの数を減らすと、ミューティングされたＲＥが生成される可能性があり、この場合には全体的なスペクトル効率が低下する。ｅＮＢがＲＥミューティングを作動／停止し、又はセル間ＣＳＩ測定のためのＲＥミューティングパラメータを（再使用係数の増加又は減少などによって）修正した場合、ＣＳＩ−ＲＳポートの数をオンザフライで変更する場合と同様に、性能劣化を避けるために、ミューティングされたＲＥの組の周辺でＰＤＳＣＨのレートマッチングを行うべきである。
【００３２】
本発明の例示的な実施形態の観点からすれば、ミューティングされたＲＥは、ＣＳＩ−ＲＳ  ＲＥと同じ影響を有すると考えることができる。すなわち、これらはいずれも（及びＣＳＩ−ＲＳと共にいくつかのサブフレーム内で可能である）ＰＤＳＣＨのパンクチャリングを引き起こし、或いはミューティングされたＲＥの周辺でＰＤＳＣＨがレートマッチされる。一般に、ミューティングされたＲＥとは、あるセルからのパワーがゼロのＲＥのことであり、ミューティングされたＲＥが存在することで、複数のセルの参加を必要とするＤＬ送信スキームのために、ＵＥのＣＳＩ−ＲＳに対するセル間測定を改善することができる。
【００３３】
ＰＤＳＣＨ送信にどのレートマッチングが使用されるかについてＵＥとｅＮＢの間に共通理解がない場合、ＵＥがＰＤＳＣＨ送信を正しく復号できないという結果になる。
【００３４】
本発明の例示的な実施形態は、これらの様々な問題及び困難に対処してこれを解決する。なお、上述したレートマッチングに関する問題は、（リリース１０固有のＴＭだけでなく）全ての伝送モードに当てはまり得る。
【００３５】
本発明の例示的な実施形態についてさらに詳細に説明する前に、本発明の例示的な実施形態の実施における使用に適した様々な電子デバイス及び装置の簡略ブロック図を示す図２を参照する。図２では、無線ネットワーク１が、Ｎｏｄｅ  Ｂ（基地局）、及びより詳細にはｅＮＢ１２などのネットワークアクセスノードを介して、ＵＥ１０と呼ぶことができる移動体通信デバイスなどの装置と無線リンク１１を介して通信するようになっている。ネットワーク１は、図１に示すＭＭＥ／ＳＧＷ機能を含むことができるネットワーク制御要素（ＮＣＥ）１４を含むことができ、このＮＣＥ１４は、電話網及び／又はデータ通信網（例えば、インターネット）などのさらなるネットワークとの接続性を提供する。ＵＥ１０は、少なくとも１つのコンピュータ又はデータプロセッサ（ＤＰ）１０Ａなどのコントローラと、コンピュータ命令のプログラム（ＰＲＯＧ）１０Ｃを記憶するメモリ（ＭＥＭ）１０Ｂとして具体化される少なくとも１つの非一時的コンピュータ可読記憶媒体と、１又はそれ以上のアンテナを介してｅＮＢ１２と双方向無線通信を行うのに適した少なくとも１つの無線周波数（ＲＦ）トランシーバ１０Ｄと、を含む。ｅＮＢ１２も、少なくとも１つのコンピュータ又はデータプロセッサ（ＤＰ）１２Ａなどのコントローラと、コンピュータ命令のプログラム（ＰＲＯＧ）１２Ｃを記憶するメモリ（ＭＥＭ）１２Ｂとして具体化される少なくとも１つのコンピュータ可読記憶媒体と、多入力／多出力（ＭＩＭＯ）動作の使用時に複数のアンテナポート及びアンテナを介してＵＥ１０と通信するのに適したＲＦトランシーバ１２Ｄとを含む。ｅＮＢ１２は、データ／制御パス１３を介してＮＣＥ１４に結合される。パス１３は、図１Ａに示すＳ１インターフェイスとして実現することができる。ｅＮＢ１２は、図１Ａに示すＸ２インターフェイスとして実現できるデータ／制御パス１５を介して別のｅＮＢに接続することもできる。
【００３６】
本発明の例示的な実施形態の説明においては、ＵＥ１０を、ＲＲＣ／ＰＨＹ（Ｌ１）機能１０Ｅも含むと想定することができ、ｅＮＢ１２を、対応するＲＲＣ／ＰＨＹ（Ｌ１）機能１２Ｅを含むと想定することができる。ｅＮＢ１２ＲＲＣ／ＰＨＹ（Ｌ１）機能１２Ｅは、ＰＤＳＣＨのＣＳＩ−ＲＳパンクチャリング、レートマッチング及び関連する動作を行うとともに、ＵＥ１０との間でＲＲＣシグナリングを実施すると想定することができ、以下でさらに詳細に説明するような本発明の例示的な実施形態を用いた動作に合わせて拡張される。ＵＥ１０ＲＲＣ／ＰＨＹ（Ｌ１）機能１０Ｅは、ＰＤＳＣＨのＣＳＩ−ＲＳパンクチャリングを受け取って解釈し、レートデマッチング及び関連する動作を実行するとともに、ｅＮＢ１２との間でＲＲＣシグナリングを実施すると想定することができ、以下でさらに詳細に説明するような本発明の例示的な実施形態を用いた動作に合わせて拡張される。
【００３７】
以下でより詳細に説明するように、ＰＲＯＧ１０Ｃ及び１２Ｃの少なくとも一方は、関連するＤＰによる実行時に、デバイスが本発明の例示的な実施形態に従って動作できるようにするプログラム命令を含むと想定される。すなわち、本発明の例示的な実施形態は、ＵＥ１０のＤＰ１０Ａ及び／又はｅＮＢ１２のＤＰ１２Ａによって実行可能なコンピュータソフトウェア又はハードウェア、或いはソフトウェアとハードウェア（及びファームウェア）の組み合わせによって少なくとも部分的に実施することができる。
【００３８】
一般に、ＵＥ１０の様々な実施形態は、以下に限定されるわけではないが、携帯電話機、無線通信能力を有する携帯情報端末（ＰＤＡ）、無線通信能力を有するポータブルコンピュータ、無線通信能力を有するデジタルカメラなどの画像取り込みデバイス、無線通信能力を有するゲーム機、無線通信能力を有する音楽保存再生機器、無線インターネットアクセス及び閲覧が可能なインターネット機器、並びにこのような機能の組み合わせを内蔵したポータブル装置又は端末を含むことができる。
【００３９】
コンピュータ可読ＭＥＭ１０Ｂ及び１２Ｂは、ローカル技術環境に適したいずれのタイプのものであってもよく、半導体ベースのメモリ素子、ランダムアクセスメモリ、リードオンリメモリ、プログラマブルムリードオンリメモリ、フラッシュメモリ、磁気メモリ素子及びシステム、光メモリ素子及びシステム、固定メモリ及び取り外し可能メモリなどのあらゆる好適なデータ記憶技術を使用して実現することができる。ＤＰ１０Ａ及び１２Ａは、ローカル技術環境に適したいずれのタイプのものであってもよく、非限定的な例として、汎用コンピュータ、専用コンピュータ、マイクロプロセッサ、デジタルシグナルプロセッサ（ＤＳＰ）、及びマルチコアプロセッサアーキテクチャに基づくプロセッサのうちの１又はそれ以上を含むことができる。
【００４０】
本発明の例示的な実施形態によれば、ｅＮＢ１２がＵＥ１０の無線能力（従ってＵＥのリリース（リリース８、リリース１０など））を正しく取得したとＵＥ１０が認識する前に、ＣＳＩ−ＲＳ  ＲＥによってＵＥ１０へのＰＤＳＣＨ送信がパンクチャリングされ、ｅＮＢ１２及びＵＥ１０（すなわち、ＵＥ１０及びｅＮＢ１２ＲＲＣ／ＰＨＹ（Ｌ１）機能１０Ｅ、１２Ｅ）はいずれも、ＰＤＳＣＨ及びＣＳＩ−ＲＳが偶然同じサブフレームで送信される場合には常に、送信時／レートマッチング時及び受信時／デレートマッチング時にそれぞれこの前提を使用する。
【００４１】
ＵＥ１０が、ｅＮＢ１２がＵＥの無線能力を正しく取得したと認識した後で、ＵＥへのＰＤＳＣＨ送信は、ＣＳＩ−ＲＳ  ＲＥ周辺でレートマッチされる。
【００４２】
レートマッチングモードが上記のように変更される時点は、明示的ダウンリンクシグナリング又は非明示的シグナリング／ルールにより定義される。
【００４３】
例示的な実施形態をさらに詳細に説明すると、方法及び装置の実施構成には、少なくとも２つの態様があると考えられる。
【００４４】
図４に、ＣＳＩ−ＲＳ周辺のＰＤＳＣＨレートマッチング及びＣＳＩ−ＲＳによるＰＤＳＣＨパンクチャリングを示している。これらの２つのモードは、どのＲＥの組がＰＤＳＣＨ送信に利用可能であるかを指示することによって定義することができる（３ＧＰＰ  ＴＳ３６．２１１）。また、セル間又は干渉測定を容易にするためにいくつかのＲＥがミューティングされる場合（図４には図示せず）、これらのミューティングされたＲＥはＣＳＩ−ＲＳ  ＲＥと同様に扱われ、すなわちＰＤＳＣＨレートマッチングも、ミューティングされたＲＥ又はミューティングされたＲＥのパンクチャＰＤＳＣＨの周辺で実行される。
【００４５】
図４には、１つの例示的なＣＳＩ−ＲＳパターンのレートマッチング及びパンクチャリングの例を示している。図４には、（図１Ｃと比較して）単純化するために、ＰＤＣＣＨ、ＣＲＳ、ＵＥ固有のＲＳ及びＣＳＩ−ＲＳは図示していない。図４では、左側（図４Ａ）が、ＤＭ−ＲＳベースのＰＤＳＣＨ送信を前提としており、右側（図４Ｂ）が、ＣＲＳベースのＰＤＳＣＨ送信を前提としている。
【００４６】
第２の態様では、例えば、ＲＲＣ（Ｌ３）シグナリングとして実施される明示的なシグナリングによって、レートマッチングモードが変更される時点の定義を行うことができる。この場合、ＵＥ１０の能力転送手順（図３）に新たな追加のＤＬ確認メッセージを追加すること、又はＣＳＩ−ＲＳを定義するＲＲＣ接続再構成メッセージ（図５）及び／又はＲＥミューティングに関するレートマッチングモードに新たなパラメータを追加することのいずれかを行うことができる。ＤＣＩ（Ｌ１／Ｌ２）シグナリングにより、レートマッチングモードを示すリリース１０のＤＬグラント内の１ビットを使用することなどによって（又は他の何らかのＤＣＩフィールドとの結合符号化によって）明示的シグナリングを行うこともできる。
【００４７】
第２の態様では、非明示的ルールの使用を通じて（場合によってはシグナリングと組み合わせて）レートマッチングモードが変更される時点の定義を行うことができる。１つの例示的な非明示的ルールは以下の通りとすることができる。
【００４８】
ルール：ＲＥミューティングの可能性を潜在的に含むＣＳＩ−ＲＳをサポートするリリース１０のネットワークは、リリース１０ネットワークがＵＥ１０の無線能力を正しく取得した後にのみＲＲＣ接続再構成手順（図５）を使用する。従って、ＵＥ１０は、ＲＲＣ接続再構成手順の使用を、ＣＳＩ−ＲＳに関するレートマッチングモードが変更された旨の非明示的な指示として解釈する。より詳細には、非同期性及び／又はエラーの可能性に起因して、ｅＮＢ１２は、所与のＵＥ１０からＲＲＣ接続再構成完了メッセージを受信した後にのみ、このＵＥ１０に関するＣＳＩ−ＲＳ周辺のレートマッチングを開始する。
【００４９】
代替の実施形態では、ＵＥ１０が、若干残った構成の曖昧性を含むＲＲＣ手順遅延ルールに従ってレートマッチングモード変更を適用し、又はセル内ハンドオーバを介して、同期されたＲＲＣ再構成を使用して残った構成の曖昧性を避ける。
【００５０】
より詳細には、リリース８及びリリース９のＲＲＣ接続再構成には、及びＲＲＣ手順遅延に起因して、ＵＥ１０において新たな構成が適用された時点に関する若干の（例えば、数ｍｓの）曖昧性がｅＮＢとＵＥの間に存在することがある。この曖昧性は、許容される場合もあるが、許容できない場合には、ＵＥにおける同期的再構成を保証する（時間的曖昧性がない）方法としてセル内ハンドオーバが使用される。例えば、上記で引用した３ＧＰＰ  ＴＳ  ３６．３３１の１１．２節、「ＲＲＣ手順の処理遅延要件（Ｐｒｏｃｅｓｓｉｎｇ  ｄｅｌａｙ  ｒｅｑｕｉｒｅｍｅｎｔｓ  ｆｏｒ  ＲＲＣ  ｐｒｏｃｅｄｕｒｅｓ）」、並びに３ＧＰＰ  ＴＳ３６．３３１の５．３．５．４節、「ＵＥによるｍｏｂｉｌｉｔｙＣｏｎｔｒｏｌＩｎｆｏを含むＲＲＣＣｏｎｎｅｃｔｉｏｎＲｅｃｏｎｆｉｇｕｒａｔｉｏｎの受信（ハンドオーバ）（Ｒｅｃｅｐｔｉｏｎ  ｏｆ  ａｎ  ＲＲＣＣｏｎｎｅｃｔｉｏｎＲｅｃｏｎｆｉｇｕｒａｔｉｏｎ  ｉｎｃｌｕｄｉｎｇ  ｔｈｅ  ｍｏｂｉｌｉｔｙＣｏｎｔｒｏｌＩｎｆｏ  ｂｙ  ｔｈｅ  ＵＥ  （ｈａｎｄｏｖｅｒ））」を参照することができる。（異なる文脈における）セル内ハンドオーバに関するさらなる一般的情報を、２０１０年４月１２日〜１６日、中国、北京の３ＧＰＰ  ＴＳＧ  ＲＡＮ  ＷＧ１会議＃６０の２、Ｒ１−１０２２９１、ソース：ＮＴＴ  ＤＯＣＯＭＯ、表題：ＣＩＦ構成中のＵＥ割り当て方法（ＵＥ  Ａｓｓｉｇｎｍｅｎｔ  Ｍｅｔｈｏｄｓ  Ｄｕｒｉｎｇ  ＣＩＦ  Ｃｏｎｆｉｇｕｒａｔｉｏｎ）、詳細には「方法２：ＲＡＣＨ（例えば、ｅノードＢ内ハンドオーバ）を使用した時間同期の利用（Ｍｅｔｈｏｄ  ２：  Ｅｍｐｌｏｙ  ｔｉｍｅ−ｓｙｎｃｈｒｏｎｉｚａｔｉｏｎ  ｕｓｉｎｇ  ＲＡＣＨ  （ｅ．ｇ．，  ｉｎｔｒａ−ｅＮｏｄｅＢ  ｈａｎｄｏｖｅｒ））」という節に見出すことができる。
【００５１】
ｅＮＢ１２が、リリース１０のＵＥ１０のための変更されたレートマッチングモードを適用する前に、ＵＥがＣＳＩ−ＲＳ（及び指定／作動された場合に潜在的にＲＥミューティング）構成を認識している場合、ＵＥ１０は、（ページング、ＲＡＣＨ応答及びシステム情報送信などのための）パンクチャリング干渉のいくらかを緩和することができる。従って、さらに例示的な実施形態によれば、ＣＳＩ−ＲＳ（及びＲＥミューティング）構成が、ＳＩＢ内の（又はＭＩＢ内の）システム情報に含まれて送信される。少なくともＣＳＩ−ＲＳアンテナポートの数及び／又はミューティングパラメータをオンザフライで変更するという観点から見れば、ＳＩＢ（ＭＩＢ）にこの情報を含めることは望ましい。この場合、ＣＲＳアンテナポート数のオンザフライによる変更の検討される仕様及び実施態様によって類似性が実現される。しかしながら、ＣＳＩ−ＲＳ（及びＲＥミューティング）構成が専用ＲＲＣシグナリングを介して提供される場合には、この例示的な実施形態が除外されない。
【００５２】
上記の内容に基づいて、及び本発明の例示的な実施形態を説明する目的で、第１のレートマッチングモードは、リソース要素の組を用いてダウンリンク共有チャネル送信をパンクチャリングすることを含むことができ、第２のレートマッチングモードは、リソース要素の組のメンバであるリソース要素の周辺でダウンリンク共有チャネルをレートマッチングすることを含むことができる。リソース要素の組は、例えば、ＣＳＩ−ＲＳシンボルを含む１又はそれ以上のＲＥ、及び場合によっては１又はそれ以上のミューティングされたＲＥを含むことができる。
【００５３】
本発明の例示的な実施形態を使用することにより、いくつかの技術的効果、利点及び利益を実現することができる。例えば、ＣＳＩ−ＲＳ送信及び／又はＲＥミューティングの存在時に使用されるレートマッチングモードに関して、ｅＮＢ１２とＵＥ１０間に不一致がない。さらに、ＣＳＩ−ＲＳ及び／又はミューティングされたＲＥ周辺の最適化されたレートマッチングの使用が、最も早い実行可能時点で適用される。さらに、ＤＬシグナリングオーバヘッドをほんのわずかしか又は全く伴わずに例示的な実施形態を実施することができる。また、ＣＳＩ−ＲＳパンクチャリングによる干渉を、ＵＥ１０により、初期にはＲＲＣ＿ＩＤＬＥ状態で、又は直後にＲＲＣ＿ＣＯＮＮＥＣＴＥＤ状態に入って緩和することができる。
【００５４】
図６は、本発明のさらなる例示的な実施形態による方法の動作、及びコンピュータプログラム命令の実行結果を示す論理フロー図である。これらの例示的な実施形態によれば、方法が、ブロック６Ａにおいて、ネットワークアクセスノードがユーザ装置の能力を正しく取得したことが確認される前に、第１のレートマッチングモードに従ってネットワークアクセスノードを用いてユーザ装置を動作させるステップを実行する。ブロック６Ｂにおいて、ネットワークアクセスノードがユーザ装置の能力を正しく取得したことがユーザ装置に対して確認された後にのみ、レートマッチングモードを第２のレートマッチングモードに変更するステップが実行される。
【００５５】
図６の方法では、第１のレートマッチングモードが、リソース要素の組を用いてダウンリンク共有チャネル送信をパンクチャするステップを含み、第２のレートマッチングモードが、リソース要素の組のメンバであるリソース要素の周辺でダウンリンク共有チャネルをレートマッチングするステップを含む。
【００５６】
前段落の方法では、リソース要素の組が、基準シンボル及びミューティングされたリソース要素の少なくとも一方を含むことができる。
【００５７】
前段落の方法では、基準シンボルが、ネットワークアクセスノード及びユーザ装置の多入力多出力動作をサポートして送信されるチャネル状態情報基準シンボルである。
【００５８】
図６の方法では、確認が、シグナリングに明示的に基づくこと、シグナリングに非明示的に基づくこと、及びルールを適用することのうちの１つによって行われる。
【００５９】
前段落の方法では、確認が、無線リソース制御能力転送手順の一部を含む確認メッセージ、又は前記レートマッチングモードを定義する無線リソース制御接続再構成メッセージの一部を含むパラメータの一方を使用する無線リソース制御シグナリングに明示的に基づいて行われる。
【００６０】
前段落の方法では、確認が、少なくとも１ビットを使用してレートマッチングモードを示すダウンリンク制御情報シグナリングに明示的に基づいて行われる。
【００６１】
前段落の方法では、確認が、無線リソース制御接続再構成シグナリング手順の実行に非明示的に基づいて行われ、ルールが、ネットワークアクセスノードがユーザ装置から無線リソース制御接続再構成完了メッセージを受け取った後にのみ、ユーザ装置に対する基準シンボル周辺のレートマッチングを開始することを含む。
【００６２】
図６の方法では、確認が、無線リソース制御接続再構成の実行に非明示的に基づいて行われ、レートマッチングモードが、無線リソース制御手順遅延ルールに準拠して変更され、残った構成の曖昧性を含み、或いはユーザ装置のセル内ハンドオーバを使用する同期無線リソース制御再構成手順により変更されて、残った構成の曖昧性を大幅に排除する。
【００６３】
前段落の方法では、方法が、システム情報ブロックに含めて、又は専用無線リソース制御シグナリングを使用することによってユーザ装置に送信するステップをさらに含む。
【００６４】
前段落の方法では、ミューティングされたリソース要素の構成を、システム情報ブロックに含めて、又は専用無線リソース制御シグナリングを使用することによってユーザ装置に送信するステップをさらに含む。
【００６５】
例示的な実施形態は、ソフトウェアプログラム命令を含む非一時的コンピュータ可読媒体にも関し、このソフトウェアプログラム命令が少なくとも１つのデータプロセッサにより実行されることにより、上記段落のいずれか１つの方法を実行することを含む動作が行われる。
【００６６】
例示的な実施形態は、ソフトウェアプログラム命令を含む非一時的コンピュータ可読媒体にも関し、このソフトウェアプログラム命令が少なくとも１つのデータプロセッサにより実行されることにより、上記の及び図６に示す方法を実行することを含む動作が行われる。
【００６７】
図６に示す様々なブロックは、方法ステップとして、及び／又はコンピュータプログラムコードの動作結果により生じる動作として、及び／又は関連する（単複の）機能を実施するよう構成された複数の結合論理回路要素として見なすことができる。
【００６８】
従って、例示的な実施形態は、プロセッサと、コンピュータプログラムコードを含むメモリとを備えた装置にも少なくとも部分的に関し、このメモリ及びコンピュータプログラムコードは、プロセッサを用いて装置に、ネットワークアクセスノードがユーザ装置の能力を正しく取得したことが確認される前に、第１のレートマッチングモードに従ってネットワークアクセスノードを用いてユーザ装置を動作させるステップと、ネットワークアクセスノードがユーザ装置の能力を正しく取得したことがユーザ装置に対して確認された後にのみ、レートマッチングモードを第２のレートマッチングモードに変更するステップとを少なくとも実行させるように構成される。
【００６９】
従って、例示的な実施形態は、ネットワークアクセスノードがユーザ装置の能力を正しく取得したことが確認される前に、第１のレートマッチングモードに従ってネットワークアクセスノードを用いてユーザ装置を動作させる手段を備えた装置にも少なくとも部分的に関する。この装置は、ネットワークアクセスノードがユーザ装置の能力を正しく取得したことがユーザ装置に対して確認された後にのみ、レートマッチングモードを第２のレートマッチングモードに変更する手段をさらに備える。
【００７０】
一般に、様々な例示的な実施形態は、ハードウェア又は専用回路、ソフトウェア、論理回路、又はこれらのあらゆる組み合わせの形で実現することができる。例えば、ハードウェアの形で実現できる態様もあれば、コントローラ、マイクロプロセッサ、又はその他のコンピュータ装置が実行できるファームウェア又はソフトウェアの形で実現できる態様もあるが、本発明はこれらに限定されるものではない。本発明の例示的な実施形態の様々な態様は、ブロック図、フロー図、又は他の何らかの図的記述を使用して図示し説明することができるが、本明細書で説明したこれらのブロック、装置、システム、技術、又は方法を、非限定的な例として、ハードウェア、ソフトウェア、ファームウェア、専用回路又は論理回路、汎用ハードウェア又はコントローラ又はその他のコンピュータ装置、又はこれらのいくつかの組み合わせの形で実現できることを十分に理解されたい。
【００７１】
従って、本発明の例示的な実施形態の少なくともいくつかの態様を、集積回路チップ及びモジュールなどの様々な構成要素内で実施することもでき、また本発明の例示的な実施形態を、集積回路として具体化された装置内で実現することもできると理解されたい。１又は複数の集積回路は、本発明の例示的な実施形態に従って動作するように構成できる１又は複数のデータプロセッサ、１又は複数のデジタルシグナルプロセッサ、ベースバンド回路及び無線周波数回路のうちの１又はそれ以上を具体化するための回路（及び場合によってはファームウェア）を含むことができる。
【００７２】
添付図面とともに上述の説明を読めば、当業者には上述の説明に照らして本発明の上述の例示的な実施形態への様々な修正及び適応が明らかになるであろう。しかしながら、本発明の非限定的な及び例示的な実施形態の範囲にはあらゆる修正も含まれる。
【００７３】
例えば、上記では、（ＵＴＲＡＮ−ＬＴＡ−Ａ）システムとの関連において例示的な実施形態を説明したが、本発明の例示的な実施形態がこれらのいつの特定の種類の無線通信システムのみとの使用に限定されないこと、及び本発明の例示的な実施形態を使用して、他の無線通信システムで優位性を発揮できることを理解されたい。
【００７４】
なお、「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なもの、論理的なもの、或いはこれらの組み合わせであってもよい。本明細書で使用する場合、１又はそれ以上の電線、ケーブル及び／又はプリント電子接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、２つの要素が互いに「接続」又は「結合」されると考えることができる。
【００７５】
さらに、説明したパラメータ及び信号要素は、あらゆる好適な名称によって識別できるので、これらのパラメータ、チャネル及び信号要素に使用している様々な名称（ＣＳＩ−ＲＳ、ＣＲＳなど）は、いかなる点においても限定的なものではない。さらに、様々なチャネルは、あらゆる好適な名称によって識別できるので、これらの異なるチャネルに割り当てられる様々な名称（ＰＤＳＣＨ、ＰＤＣＣＨなど）は、いかなる点においても限定的なものではない。
【００７６】
さらに、本発明の様々な非限定的な例示的な実施形態の特徴の一部を、その他の特徴を対応して使用することなく有利に使用することができる。従って、上述の説明は、本発明の原理、教示及び例示的な実施形態を例示したものにすぎず、これらを限定するものではないとみなすべきである。
【図１Ａ】
2013529869.tif 000003
【図１Ｂ】
2013529869.tif 000004
【図２】
2013529869.tif 000005
【図３】
2013529869.tif 000006
【図５】
2013529869.tif 000007
【図６】
2013529869.tif 000008
【図１Ｃ】
2013529869.tif 000009
【図４】
2013529869.tif 000010
【国際調査報告】
2013529869.tif 000011
2013529869.tif 000012